(57)【要約】【課題】膜電極接合体周囲で燃料及び酸化剤の漏れが無く、シーリング構造が小型、単純であり、かつエネルギー密度の高い燃料電池を提供すること。【解決手段】固体高分子電解質膜を有する燃料電池において、固体高分子電解質膜と、電気化学反応により燃料を消費する負極と、電気化学反応により酸化剤を消費する正極の両電極とから成る膜電極接合体と、燃料と酸化剤との混合を防止する機能を有するシール部材と、これらを保持する取付部位から構成され、前記シール部材が負極もしくは正極のいずれか一方に配置される構造とする。【選択図】    図１
2004311086.tif 000002
【特許請求の範囲】
【請求項１】
固体高分子電解質膜と、電気化学反応により燃料を消費する負極と、電気化学反応により酸化剤を消費する正極と、燃料と酸化剤との混合を防止するシール部材と、これらを保持する取付部位を備えるとともに、前記シール部材が前記負極もしくは前記正極のいずれか一方に配置されることを特徴とする燃料電池。
【請求項２】
前記負極もしくは前記正極に含浸された封止材により前記シール部材が固着されたことを特徴とする請求項１に記載の燃料電池。
【請求項３】
前記シール部材が、前記取付部位に接着もしくは接合して固着されることを特徴とする請求項２に記載の燃料電池。
【請求項４】
前記シール部材と前記電極の固着部位において、前記シール部材が、前記電極と電気接続しており、リードを兼ねていることを特徴とする請求項３に記載の燃料電池。
【請求項５】
前記シール部材に、前記負極と電気接続され、負極で生じた電子を通電する部位が形成されたことを特徴とする請求項４に記載の燃料電池。
【請求項６】
前記シール部材が前記負極もしくは前記正極の一方の電極に固着されており、前記シール部材が固着されている前記一方の電極の寸法が、前記シール部材を配置する部位の分、他方の電極より大きいことを特徴とする請求項１〜５のいずれか一項に記載の燃料電池。
【請求項７】
前記シール部材が、前記シール部材を固着した電極の前記固体高分子電解質膜側の面に固着されたことを特徴とする請求項６に記載の燃料電池。
【請求項８】
前記シール部材を固着した前記電極に構成される前記固体高分子電解質膜が、前記シール部材側面にかかって構成されることを特徴とする請求項７に記載の燃料電池。
【請求項９】
前記シール部材と前記固体高分子電解質膜とが接しており、当該部位の封止が前記電極と前記固体高分子電解質膜の接合材により成されることを特徴とする請求項７または８に記載の燃料電池。
【請求項１０】
固体高分子電解質膜と、正極と負極から成る電極と、燃料と酸化剤との混合を防止する機能を有するシール部材と、これらを保持する取付部位から構成された燃料電池の製造方法であって、一方の前記電極の周囲に沿って封止材を塗布する工程と、前記シール部材を前記封止材により該電極に固着する工程と、前記シール部材に囲まれる該電極上の部位に固体高分子電解質膜を形成する工程と、前記シール部材を固着した電極と対向する前記固体高分子電解質膜の面上に他方の電極を固着する工程と、前記シール部材に前記取付部位を固着する工程を備えることを特徴とする燃料電池の製造方法。
【請求項１１】
一方の前記電極に前記封止材を塗布する工程が、塗布部位を圧縮硬化する工程と、前記封止材を塗布する工程から成る事を特徴とする請求項１０記載の燃料電池の製造方法。
【請求項１２】
前記封止材と前記シール部材が金属であり、前記シール部材を前記電極に固着する工程が、前記封止材と前記シール部材とを金属接合する工程であることを特徴とする請求項１１に記載の燃料電池の製造方法。
【請求項１３】
一方の前記電極に前記封止材を塗布する工程が、前記封止材の塗布する工程と、前記封止材を前記電極に含浸する工程を備えることを特徴とする請求項１０に記載の燃料電池の製造方法。
【請求項１４】
前記シール部材に囲まれる前記電極上に固体高分子電解質膜を形成する工程が、前記電極上に電解質前駆体を含む溶液を滴下する工程と、固体高分子電解質膜を前記溶液上に配置する工程と、前記電極と前記固体高分子電解質膜とを加熱圧着する工程を備えることを特徴とする請求項１０に記載の燃料電池の製造方法。
【請求項１５】
前記シール部材に囲まれる前記電極上に固体高分子電解質膜を形成する工程が、前記電極上に電解質前駆体を含む溶液を滴下する工程と、加熱して硬化する工程を備えることを特徴とする請求項１０に記載の燃料電池の製造方法。
【発明の詳細な説明】
【０００１】
【発明の属する技術分野】
本発明は、携帯電話、ノートパソコン、家庭電源、自動車などの電源として用いる燃料電池及び燃料電池の製造方法に関する。
【０００２】
【従来の技術】
燃料電池は、負極における燃料、つまり、水素もしくは卑な電位にて酸化反応可能な燃料の酸化反応と、正極における酸化剤、つまり、酸素もしくは貴な電位にて還元反応可能な酸化剤の還元反応とを、電気化学的に行い、両極の電位差と電気化学反応にて取り出される電流から出力を得る装置である。従来の固体高分子電解質型燃料電池の電極構造は、上記機能を有する負極もしくは正極電極、負極と正極間でイオンを伝達するための固体高分子電解質膜で構成される。更に正極、負極において、燃料の均一な供給を促すため、ガス拡散層がそれぞれの電極の固体高分子電解質膜と相対する面に配置される。燃料電池が駆動する際、前記燃料と前記酸化剤とがガス拡散層に供給され、更に各電極に供給されることとなる。固体高分子電解質膜をセパレータとして、燃料と酸化剤とは混合しないようにシール構造が取られる。
【０００３】
固体高分子電解質膜のシール構造については、固体高分子電解質が電極部からはみ出した部位にシール部材を配置する構造が提案されている。しかし、固体高分子電解質膜に応力がかかった際、シール部材による固体高分子電解質膜の傷つきが生じ、問題視されている。従って例えば、ガス拡散層を固体高分子電解質膜と略同一寸法にする方法（例えば、特許文献１参照）や、固体高分子電解質膜の一方の電極周囲にのみシール部材を配置する方法（例えば、特許文献２参照）が提案されている。
【０００４】
【特許文献１】
特開平１０−２８９７２２号公報（第３−４頁、第１図）
【０００５】
【特許文献２】
特開２００３−１７０９２号公報（第４−５頁、第１図）
【０００６】
【発明が解決しようとする課題】
従来より、固体高分子電解質膜にはフッ素系樹脂が用いられてきた。フッ素系樹脂は接着性が極めて悪いため、シール部材を固体高分子膜に接着する方法を取ろうとすると有効なシール性を得る事が困難であった。従って、有効なシール性を得るためには、固体高分子電解質膜を両面から押さえつける必要があった。これは、電極周囲の構造を複雑化、大型化することとなり、体積当りのエネルギー密度を低下する要因となっていた。
【０００７】
本発明は、上述した問題を解決し、膜電極接合体周囲における燃料の漏れが無く、小型で、かつエネルギー密度の高い燃料電池と、その製造方法を提供することを目的とする。
【０００８】
【課題を解決するための手段】
上記課題を解決するために、本発明の燃料電池は、固体高分子電解質膜と、電気化学反応により燃料を消費する負極と、電気化学反応により酸化剤を消費する正極の両電極とから成る膜電極接合体と、燃料と酸化剤との混合を防止する機能を有するシール部材と、これらを保持する取付部位を備え、シール部材が負極もしくは正極のいずれか一方に配置することとした。これにより、シール部材が膜電極接合体と接合し易くなる。従って、シーリングのために固体高分子電解質膜を押さえつける必要が無くなり、小型化が可能となる。つまり、体積あたりのエネルギー密度を向上する事ができる。
【０００９】
更に、シール部材が配置する負極もしくは正極の部位に、封止材が含浸され、シール部材を固着することを特徴としている。これにより、シール部材が配置された電極面において、燃料もしくは酸化剤が漏れる事が無くなる。従ってよりシール性を向上する事ができるようになる。
【００１０】
更に、シール部材が、取付部位に接着もしくは接合して固着されることを特徴としている。これにより、膜電極接合体と取付部位との間をシール部材によりシーリングできるようになる。またこのシール構造は、接着もしくは接合により形成されることから、簡便に作製できるようになる。
【００１１】
更に、シール部材と前記電極の固着部位において、シール部材が、電極と電気接続しており、リードを兼ねていることを特徴としている。これにより、シール部材を固着することによりリードを取る事ができるようになり、リードを別に設ける必要が無くなる。従って、作製工程の減少、作製方法の簡便化につながる。
【００１２】
更に、シール部材に、前記負極と電気接続され、負極で生じた電子を通電する部位が形成されてなることを特徴としている。これにより、正極と負極のそれぞれのリードがシール部材で形成されるため、省スペース化される。従ってより体積当りのエネルギー密度を向上する事ができるようになる。
【００１３】
更に、シール部材が一方の電極に固着されており、シール部材が固着されている電極の寸法が、シール部材を配置する部位の分、他方の電極より大きいことを特徴としている。これにより、シール部材を配置する電極の反応面積と、シール部材を配置しない電極の反応面積と同等の面積とする事が出来、反応部位を有効に確保する事ができるようになる。
【００１４】
シール部材が、シール部材を固着した電極の固体高分子電解質膜側の面に固着されてなることを特徴としている。これにより、取付部材と膜電極接合体の高さの差を小さくする事ができるようになる。従って、膜電極接合体は取り付け部位において厚みを減ずる事ができ、寸法をより小さくする事ができるようになる。
【００１５】
シール部材を固着した電極に構成される固体高分子電解質膜が、シール部材側面にかかって構成されることを特徴としている。これにより、シール部材と固体高分子電解質膜との間の空隙がなくなる。
【００１６】
シール部材と固体高分子電解質膜とが接しており、当該部位の封止が電極と固体高分子電解質膜の固着材により成される。これにより、シール部材と固体高分子電解質膜との間のシール性がより確保される。また、電極と固体高分子電解質膜の接合時に、シール部材の側面に固着材を塗布する事ができるため、より性能の高いシール構造を簡便に得る事ができるようになる。
【００１７】
また、本発明の燃料電池の製造方法は、固体高分子電解質膜と、正極と負極から成る電極と、燃料と酸化剤との混合を防止する機能を有するシール部材と、これらを保持する取付部位から構成された燃料電池の製造方法において、一方の電極の周囲に沿って封止材を塗布する工程と、シール部材を封止材により該電極に固着する工程と、シール部材に囲まれる該電極上の部位に固体高分子電解質膜を形成する工程と、シール部材を固着した電極と対向する固体高分子電解質膜の面上に他方の電極を固着する工程と、シール部材に取付部位を固着する工程からなることを特徴としている。これにより、シール部材を介して電極と取付部位とを接続する際に、有効なシーリング性を得る事ができるようになる。また、電極と取付部位は接着しやすいため、例えばディスペンサやスクリーン印刷で封止材を塗布することにより、簡便かつ短時間に小型燃料電池を製造できる。
【００１８】
更に、一方の電極に封止材を塗布する工程が、塗布部位を圧縮硬化する工程と、封止材を塗布する工程から成る事を特徴としている。これにより、電極の封止部位において、燃料もしくは酸化剤の漏れがなくなる構造とする事ができる。
【００１９】
更に、封止材とシール部材が金属であり、シール部材を電極に固着する工程が、封止材とシール部材とを金属接合する工程であることを特徴としている。これにより、電極とシール部材とを有効なシーリング性を保ちつつ、強固に固着する事ができるようになる。また、電極とシール部材とが導通し、シール部材をリードとする事ができるようになる。
【００２０】
また、一方の電極に封止材を塗布する工程が、封止材の塗布する工程と、封止材を電極に含浸する工程から成ることを特徴としている。これにより、封止部位における電極のシーリング性を簡便に得る事ができるようになる。また、封止材を塗布し含浸した後、シール部材を配置し、封止材を硬化することにより、電極とシール部材との接着工程が連続して行えるようになる。従って、本工程における製造ピッチを向上する事ができるようになる。
【００２１】
また、シール部材に囲まれる電極上に固体高分子電解質膜を形成する工程が、電極上に電解質前駆体を含む溶液を滴下する工程と、固体高分子電解質膜を溶液上に配置する工程と、電極と固体高分子電解質膜とを加熱圧着する工程からなることを特徴としている。これにより、シール部材がガイドとなり、電解質前駆体を含む溶液が不要な部位に塗布されなくなる。また、シール部材と電極とで形成される角部内側に電解質前駆体を含む溶液が溜まるため、ここで更なるシール性を確保する事ができるようになる。
【００２２】
また、シール部材に囲まれる電極上に固体高分子電解質膜を形成する工程が、電極上に電解質前駆体を含む溶液を滴下する工程と、加熱して硬化する工程からなることを特徴としている。これにより、固体電解質膜を得る事ができる。また作製時、スピンコートにより電解質前駆体を含む溶液を押し広げると、シール部材が壁になり、電極の所望の部位のみを溶液でぬらす事ができるようになる。
【００２３】
【発明の実施の形態】
本発明の燃料電池を、図面を参照して以下に説明する。
【００２４】
（実施の形態１）
図１は、本発明に関わる燃料電池の電極部位周辺の斜視図である。本燃料電池は、膜状の固体高分子電解質２と、電極と、燃料と酸化剤との混合を防止する機能を有するシール部材４と、これらを保持する取付部位６から構成されている。電極は電気化学反応により酸化剤を消費する正極１と電気化学反応により燃料を消費する負極３であり、両極は固体高分子電解質２を介して対向して配置されている。図１では、固体高分子電解質２上に配置した正極１の周辺に沿って、シール部材４が固着されている。
【００２５】
酸化剤には、酸素、過酸化水素などに代表される還元可能な物質が使われる。また、燃料には、以下に限らないが、例えば水素、アルカン、アルコール、エーテル類、詳しくは、メタノール、エタノール、プロパノール、ブタノール、エチレングリコール、グリセリン、ジメチルエーテルなど、また、有機もしくは無機のケミカルハイドライドなどから成る群の少なくともいずれか一種を含む物質が使われる。
【００２６】
図２は、図１の一点鎖線部における断面図である。正極１と負極３とが固体高分子電解質２を挟んで接合されている。シール部材４は正極１の周囲に沿って固着されている。尚、正極１と負極３とが入れ替わっても、機能は同一である。
【００２７】
従来は、シール部材が固体高分子電解質に配置されてきたが、実用的な固体高分子電解質がフッ素系樹脂であるため、接着性が悪く、有効なシール性を得る事が困難であった。しかし、正極１にシール部材４を固着することは容易であるため、本発明により、対向する電極で用いられる酸化剤や燃料が相互に混合しないシール構造を簡便に得る事ができるようになる。
【００２８】
（実施の形態２）
図３は本発明に関わる燃料電池の断面図である。本燃料電池においては、実施の形態１に加えて、シール部材４と正極１が固着する正極１の部位に、封止材５を含浸している。
【００２９】
本構造は、正極１の周縁部に封止材５を塗布し、含浸する工程と、シール部材４を封止材５上に配置し、固着する工程により製造される。封止材５は溶剤であり、好ましくは、熱硬化性、もしくは、嫌気性である事が望ましい。正極１に含浸しやすいこと、反応条件を整え易いことがその理由である。また、封止材５を導電性接着剤であっても良い。これによりシール部材４が金属である場合、もしくは金属パターンが形成してある場合、正極１とシール部材４とを電気接続することが可能となる。
【００３０】
本構造により、正極１とシール部材４の固着部位において、酸化剤が流通する事が無くなり、シール性を向上することができる。尚、正極１と負極３とを入れ替えた場合は、負極３とシール部材４の固着部位において、燃料が流通することが無くなり、燃料のシール性を向上することができる。
【００３１】
（実施の形態３）
図４は本発明に関わる燃料電池の断面図で、これまでの実施の形態と異なる形態である。本燃料電池は、正極１、固体高分子電解質２、負極３、シール部材４から構成されるユニットを、ケースの取付部位６に固定した状態を示している。取付部位６は、シール部材４の固体高分子電解質２側の面に配置される。但し、シーリングはシール部材４と正極１に含浸した封止材５とで成されるため、取付部位６の位置が本図と逆でも良い。
【００３２】
本構造の通り、取付部位６へのユニットの固定は、シール部材４と取付部位６との固着による。シール部材４、取付部材６は金属、樹脂いずれでも良い。いずれも接着性が良いため、接着材により簡便に固着する事ができる。
【００３３】
（実施の形態４）
図５は本発明に関わる燃料電池の断面図で、これまでの実施の形態と異なる形態である。本図は、正極１、固体高分子電解質２、負極３、シール部材４で構成されるユニットが、ケースの取付部材６に固定した状態を示している。シール部材４は、正極１の固体高分子電解質２側の面に固着されている。正極１は、負極３より、シール部材４が固着される分大きくなっている。
【００３４】
本構造によれば、燃料電池の外に面しているのが正極１のみで、固体高分子電解質２は燃料電池ケース内部に入るようになるため、固体高分子電解質２への摩擦、引っ掛けなどによる劣化が無く、各電極と固体高分子電解質２との接合へのダメージも小さくなる利点がある。
【００３５】
ここで、固体高分子電解質２とシール部材４との関係を図６に示す。図６は本実施の形態における固体高分子電解質２とシール部材４の封止構造を拡大して記した断面図である。本構造では、正極１に固体高分子電解質２を接合する際に用いる接合材１３が、シール部材４や負極３の側面に達し、固体高分子電解質２とシール部材４との間を満たしている。このような接合材は、製造上主に固体高分子電解質２を構成する成分よりなる事が好ましいが、それに限らない。
【００３６】
これにより、負極３側の燃料が正極１に達することを防止する事ができる。また、負極３とシール部材４とを絶縁する事が可能となる。
【００３７】
（実施の形態５）
図７は本発明に関わる燃料電池の断面図である。電極と、導電性を有するシール部材４との電気接続構造を記す。本燃料電池の構造は、正極１、固体高分子電解質２、負極３が順に積層して接合している。正極１周縁部の固体高分子電解質２側に、シール部材４を固着している。
【００３８】
シール部材４は、基材が金属などの導電性を有する部材である。従ってシール部材４は正極１と同電位となっている。また、シール部材４の負極３側には、絶縁体７、リード８を形成している。リード８は負極３と取出し電極１１により電気接続する。従って、リード８は負極３と同電位となっている。取出し電極１１と負極３やリード８との接合方法は、特にこだわらないが、溶接が好ましい。それは最も安定で、強固な構造をとり易いためである。また絶縁体７の例では、ポリイミド、ポリエステル、ポリカーボネート、フェノール樹脂、メタクリル樹脂、エポキシ樹脂、シリコーン樹脂、ゴムが挙げられるが、特に限定したものではない。
【００３９】
正極１へシール部材４を固着することにより、同時に正極１のリードがシール部材により得られるため、取出し電極１１による接続は負極３のみ行えばよい。したがって、リードを取り出すための工数の減少につながる。また、シール部材４をリードとして用いるため、電極周辺の配線が複雑にならない利点がある。
【００４０】
（実施の形態６）
図８は本発明に関わる燃料電池の断面図であり、電極と、導電性を有するシール部材４との電気接続構造を記す。本実施の形態ではシール部材４の構造以外は実施の形態５と同じ構造である。
【００４１】
本実施例のシール部材４は、絶縁体７の基材と、基材の両面に形成されたリード８と、基材を貫通する導電パターン１２から成っている。リード８には２種のパターンがある。一方のパターンは、取出し電極１１を介して負極３と接続しているパターンである。他方のパターンは、正極１と直接接続されており、導電パターン１２により、シール部材４の負極側の面に形成されたリード８と接続されているパターンである。このような構成により、配線がシール部材４の負極側の同一面上に形成されていることから、他の電極との接続や、外部端子、回路などへの接続がし易い利点がある。
【００４２】
（実施の形態７）
図９は本発明に関わる燃料電池の断面図である。電極とシール部材４との固着構造を記す。本燃料電池の構造は、正極１、固体高分子電解質２、負極３が順に積層して接合している。正極１周縁部の固体高分子電解質２側に、シール部材４を固着している。
【００４３】
正極１周縁部は加圧圧縮されており、密度の高い状態になっている。ここに金属膜１４を形成し、シール部材４と金属膜１４とは金属接合される。これにより、強固な接合が得られ、また金属であるため、よりシール性を増す事ができる。
【００４４】
金属膜１４の材質の例としては、金、銀、銅、錫、鉛、亜鉛、インジウム、ニッケルなどが挙げられる。これに限定されたものではない。また金属接合だけでなく、陽極接合、ガラス接合を行うことも可能である。またシール部材４も金属である必要があるが、金属膜１４との接合部位のみ金属としても良い。また実施の形態５、６のように、シール部材のリード８を金属接合に用いても良い。
【００４５】
（実施の形態８）
本発明に関わる燃料電池の製造方法の一例を、順に、図１０（ａ）から図１０（ｆ）に模式的に示す。まず図１０（ａ）は、正極１の周縁部に封止材５を塗布し、含浸する工程である。封止材５の塗布には、印刷やディスペンサの利用が行える。また、封止材５を含浸するには、単なる放置だけでなく、超音波を当てたり、当該部位のみ陰圧にしたりして封止材５の正極１内部への拡散を早めても良い。
【００４６】
次に図１０（ｂ）は、封止材５上にシール部材４を配置し、正極１とシール部材４とを固着する工程である。本工程で封止材５を硬化する事が好ましいが、図１０（ａ）の工程にて封止材５を一旦固めた後再度封止材を塗布し、シール部材４を固着しても良い。
【００４７】
次に図１０（ｃ）は、接合材１３を正極１上のシール部材４で囲まれる部位に滴下する工程である。滴下後にスピンコートを行い、正極１上をむらなく接合材１３がぬれ広がることが好ましい。滴下、スピンコートに変えて、スプレーコートを行っても良い。また、接合材１３は、固体高分子電解質２の前駆体、もしくは、膜となる成分が分散されている事が望ましい。
【００４８】
次に図１０（ｄ）は、膜状の固体高分子電解質２を形成する工程である。本図では、膜状の固体高分子電解質２を接合材１３上に配置し固着することとしている。但し膜状の固体高分子電解質２を用いない方法も可能である。例えば図１０（ｃ）の工程において固体高分子電解質２の前駆体を含む溶液を接合材１３として用い、本工程でゾルゲル法や加熱による溶媒の除去などにより接合材１３を膜状に形成することも可能である。
【００４９】
次に図１０（ｅ）は、固体高分子電解質２上に負極３を配置し固着する工程である。本図には示していないが、本工程では接合材１３を固体高分子電解質２上に滴下し、負極３を配置し加熱圧着により固体高分子電解質２と負極３とを接合する。
【００５０】
最後に図１０（ｆ）は、シール部材４をケースの取付部材６に固定する工程である。固定は、接着剤もしくは金属接合などにより行う事ができる。
【００５１】
以上により、膜電極接合体周囲におけるシール構造を、パッキンを用いることなく小型な構造にする事ができ、簡便に製造する事ができるようになる。
【００５２】
【発明の効果】
以上説明したように、上記課題を解決するために、本発明においては、固体高分子電解質膜を有する燃料電池において、固体高分子電解質膜と、電気化学反応により燃料を消費する負極と、電気化学反応により酸化剤を消費する正極の両電極とから成る膜電極接合体と、燃料と酸化剤との混合を防止する機能を有するシール部材と、これらを保持する取付部位から構成され、前記シール部材が前記負極もしくは前記正極のいずれか一方に配置されることを特徴としている。これにより、シール部材が膜電極接合体と接合し易くなる。従って、シーリングのために固体高分子電解質膜を押さえつける必要が無くなり、小型化が可能となる。つまり体積あたりのエネルギー密度を向上する事ができる。
【００５３】
また、本発明の燃料電池の製造方法は、固体高分子電解質膜を有する燃料電池において、固体高分子電解質膜と、正極と負極から成る電極と、燃料と酸化剤との混合を防止する機能を有するシール部材と、これらを保持する取付部位から構成され、一方の電極の周囲に沿って封止材を塗布する工程と、シール部材を封止材により該電極に固着する工程と、シール部材に囲まれる該電極上の部位に固体高分子電解質膜を形成する工程と、シール部材を固着した電極と対向する固体高分子電解質膜の面上に他方の電極を固着する工程と、シール部材に取付部位を固着する工程からなることを特徴としている。これにより、シール部材を介して電極と取付部位とを接続する際に、有効なシーリング性を得る事ができるようになる。また、シール部材を電極と取付部位に貼りあわせることにより、簡便かつ短時間に小型燃料電池を製造する事が可能となる。
【００５４】
以上、本発明によれば、固体高分子電解質膜における燃料の漏れが無く、小型で、かつエネルギー密度の高い燃料電池を提供することが可能となる。
【図面の簡単な説明】
【図１】本発明による実施の形態１の燃料電池を示す斜視図である。
【図２】本発明による実施の形態１の燃料電池を表す断面図である。
【図３】本発明による実施の形態２の燃料電池を表す断面図である。
【図４】本発明による実施の形態３の燃料電池を表す断面図である。
【図５】本発明による実施の形態４の燃料電池を表す断面図である。
【図６】本発明による実施の形態４の燃料電池を表す断面図である。
【図７】本発明による実施の形態５の燃料電池を表す断面図である。
【図８】本発明による実施の形態６の燃料電池を表す断面図である。
【図９】本発明による実施の形態７の燃料電池を表す断面図である。
【図１０】本発明による燃料電池の製造方法を示す断面図である。
【符号の説明】
１  正極
２  固体高分子電解質
３  負極
４  シール部材
５  封止材
６  取付部材
７  絶縁体
８  リード
９  正極側リード
１０  負極側リード
１１  取出し電極
１２  スルーホール
１３  接合材
１４  金属膜
【図１】
2004311086.tif 000003
【図２】
2004311086.tif 000004
【図３】
2004311086.tif 000005
【図４】
2004311086.tif 000006
【図５】
2004311086.tif 000007
【図６】
2004311086.tif 000008
【図７】
2004311086.tif 000009
【図８】
2004311086.tif 000010
【図９】
2004311086.tif 000011
【図１０】
2004311086.tif 000012